(57)【要約】【課題】エスカレータの設置図の図面データやトラスの設置情報に基づいて外装パネルなど外装部品の設計を自動的に作成することができるエスカレータ外装部品の設計支援システムを提供する。【解決手段】外装パネル１０２の形状データ記憶手段２１と、パネルの折り曲げ部１０３の曲げパターン記憶手段２２と、パネルの曲げ加工による板材の伸び寸法などの材質情報記憶手段２３と、各記憶手段から選択して、外装パネル１０２の形状データ、曲げパターン及び材質を含む外装パネル１０２の形態を決定する形態決定手段１１と、形状データ及び曲げパターンの各パラメータを取得するパラメータ取得手段１２と、外装パネル１０２の形態及び各パラメータに基づいて外装パネル１０２の製作図を作成する製作図作成手段１３と、曲げパターン及び材質に基づいて外装パネル１０２の展開図を作成する展開図作成手段１４と、を有する。【選択図】図１
2020021436.tif 000002
【特許請求の範囲】
【請求項１】
エスカレータの外装パネルを含む外装部品の設計を支援するエスカレータ外装部品の設計支援システムであって、
前記外装パネルの基本的な意匠データ又は／及び前記外装パネルの設計データを含む前記外装パネルの形状データを記憶する形状データ記憶手段と、
前記外装パネルの折り曲げ部の曲げパターンを記憶する曲げパターン記憶手段と、
前記外装パネルの材質別に曲げ加工による板材の伸び寸法を記憶する材質情報記憶手段と、
前記各記憶手段の中から選択して、前記外装パネルの形状データ、折り曲げ部の曲げパターン及び材質を含む前記外装パネルの形態を決定する形態決定手段と、
前記形態決定手段で選択された前記形状データ及び前記曲げパターンの各パラメータを取得するパラメータ取得手段と、
前記外装パネルの形態及び前記各パラメータに基づいて前記外装パネルの製作図を作成する製作図作成手段と、
前記形態決定手段で選択された前記曲げパターン及び前記材質に基づいて前記外装パネルの展開図を作成する展開図作成手段と、を有するエスカレータ外装部品の設計支援システム。
【請求項２】
前記エスカレータの設置図の図面データを取得し、前記図面データを前記各記憶手段に記憶する図面データ取得手段を備え、
前記形態決定手段が、前記図面データに基づいて前記外装パネルの形態を決定し、
前記パラメータ取得手段が、前記図面データから前記パラメータを取得する請求項１に記載のエスカレータ外装部品の設計支援システム。
【請求項３】
前記エスカレータのトラスタイプ及び前記トラスの寸法・設置位置を含むトラス情報を入力するトラス情報入力手段を備え、
前記形態決定手段が、前記トラス情報に基づいて前記各記憶手段の中から選択して前記外装パネルの形態を決定し、
前記パラメータ取得手段が、該トラス情報から前記パラメータを取得する請求項１に記載のエスカレータ外装部品の設計支援システム。
【請求項４】
前記外装パネルの形状データ、折り曲げ部の曲げパターン及び材質を入力する形態入力手段を備えた請求項３に記載のエスカレータ外装部品の設計支援システム。
【請求項５】
前記外装パネルの分割位置を指定して複数の前記外装パネルを一括して分割するパネル分割手段を備えた請求項３又は４に記載のエスカレータ外装部品の設計支援システム。
【請求項６】
前記外装パネル以外の外装部品の形状又は／及び仕様を記憶する部品情報記憶手段を備え、前記部品情報記憶手段の中から選択して外装部品を前記エスカレータの設置図に配置する手段を備えた請求項１乃至５の何れか一項に記載のエスカレータ外装部品の設計支援システム。
【発明の詳細な説明】
【技術分野】
【０００１】
本発明は、エスカレータの外装意匠図（承認図）及び外装パネルなど外装部品の設計を自動化することができるエスカレータ外装部品の設計支援システムに関する。
【背景技術】
【０００２】
エスカレータは、ステップ（踏み板）及びライザー（蹴り上げ板）を有し、ステップとライザーが無限軌道上を循環移動するように形成され、斜面移動装置と平面移動装置が含まれる。建築物に設置されるエスカレータは、無限軌道部をトラスに収納し、そのトラスの周囲を外装パネルで被覆している。
【０００３】
エスカレータの設置にあたっては、建築物にトラス及びその付属物を設置した状態を示す外装意匠図（以下、「設置図」という）の他に、外装パネルなど外装部品を製作するための各部品の製作図や展開図など様々な図面が作成される。これらの図面は、先ず、設置図を作成して客先や建築側の承認を得た後に、外装部品の製作図や展開図を作成する必要がある。
【０００４】
特許文献１には、設置図の作成を支援するシステムとして、入力手段又は端末装置からの仕様情報、予め定まるトラス幅及び規定トラス深さからエスカレータの一次的な外形寸法を算出する外形寸法算出手段と、一次的な外形寸法と支持参照データとから中間支持の必要性を判断する判断手段と、この判断手段で中間支持が必要と判断された時、入力手段又は端末装置からの中間支持設置概略寸法に予め定める複数のトラス縦梁位置寸法の中から最も近いトラス縦梁位置寸法を選択し、中間支持設置位置と決定する支持位置決定手段とを設け、エスカレータの最終的な外形寸法を出力するエスカレータの設計システムが開示されている。
【先行技術文献】
【特許文献】
【０００５】
【特許文献１】特開２００６−１８８２９５号公報
【発明の概要】
【発明が解決しようとする課題】
【０００６】
特許文献１に記載のエスカレータの設計システムは、客先や建築側からの要求仕様に基づいてエスカレータの最終的な外形寸法を短時間で出力することができ、設置図の作成時間を短縮することができる。しかし、外装部品の製作図や展開図は、承認を受けた設置図を元にして新たに作成しているため、外装パネルなど外装部品の製作に時間を要するという課題があった。
【０００７】
そこで、本発明は、エスカレータの設置図の図面データやトラスの設置情報に基づいて外装パネルなど外装部品の設計を自動的に作成することができるエスカレータ外装部品の設計支援システムを提供するものである。
【課題を解決するための手段】
【０００８】
本発明は、上記課題を解決するために、エスカレータの外装パネルを含む外装部品の設計を支援するエスカレータ外装部品の設計支援システムであって、前記外装パネルの基本的な意匠データ又は／及び前記外装パネルの設計データを含む前記外装パネルの形状データを記憶する形状データ記憶手段と、前記外装パネルの折り曲げ部の曲げパターンを記憶する曲げパターン記憶手段と、前記外装パネルの材質別に曲げ加工による板材の伸び寸法を記憶する材質情報記憶手段と、前記各記憶手段の中から選択して、前記外装パネルの形状データ、折り曲げ部の曲げパターン及び材質を含む前記外装パネルの形態を決定する形態決定手段と、前記形態決定手段で選択された前記形状データ及び前記曲げパターンの各パラメータを取得するパラメータ取得手段と、前記外装パネルの形態及び前記各パラメータに基づいて前記外装パネルの製作図を作成する製作図作成手段と、前記形態決定手段で選択された前記曲げパターン及び前記材質に基づいて前記外装パネルの展開図を作成する展開図作成手段と、を有するエスカレータ外装部品の設計支援システムを提供するものである。
【０００９】
また、本発明のエスカレータ外装部品の設計支援システムは、前記エスカレータの設置図の図面データを取得し、前記図面データを前記各記憶手段に記憶する図面データ取得手段を備え、前記形態決定手段が、前記図面データに基づいて前記外装パネルの形態を決定し、前記パラメータ取得手段が、前記図面データから前記パラメータを取得するものである。
【００１０】
また、本発明のエスカレータ外装部品の設計支援システムは、前記エスカレータのトラスタイプ及び前記トラスの寸法・設置位置を含むトラス情報を入力するトラス情報入力手段を備え、前記形態決定手段が、前記トラス情報に基づいて前記各記憶手段の中から選択して前記外装パネルの形態を決定し、前記パラメータ取得手段が、該トラス情報から前記パラメータを取得するものである。
【００１１】
また、本発明のエスカレータ外装部品の設計支援システムは、前記外装パネルの形状データ、折り曲げ部の曲げパターン及び材質を入力する形態入力手段を備えたものである。
【００１２】
また、本発明のエスカレータ外装部品の設計支援システムは、前記外装パネルの分割位置を指定して複数の前記外装パネルを一括して分割するパネル分割手段を備えたものである。
【００１３】
また、本発明のエスカレータ外装部品の設計支援システムは、前記外装パネルの形態及び前記パラメータを修正する修正手段を備えたものである。
【００１４】
また、本発明のエスカレータ外装部品の設計支援システムは、前記外装パネル以外の外装部品の形状又は／及び仕様を記憶する部品情報記憶手段を備え、前記部品情報記憶手段の中から選択して外装部品を前記エスカレータの設置図に配置する手段を備えたものである。
【００１５】
また、本発明のエスカレータ外装部品の設計支援システムは、前記設置図の図面データから前記外装部品の個数をカウントする手段と、前記展開図の図面データから前記外装パネルの総面積を算出する手段と、前記外装部品の個数及び前記外装パネルの総面積を帳票として出力する帳票出力手段を備えたものである。
【発明の効果】
【００１６】
本発明のエスカレータ外装部品の設計支援システムは、エスカレータの外装パネルを含む外装部品の設計を支援するシステムであって、前記外装パネルの基本的な意匠データ又は／及び前記外装パネルの設計データを含む前記外装パネルの形状データを記憶する形状データ記憶手段と、前記外装パネルの折り曲げ部の曲げパターンを記憶する曲げパターン記憶手段と、前記外装パネルの材質別に曲げ加工による板材の伸び寸法を記憶する材質情報記憶手段と、前記各記憶手段の中から選択して、前記外装パネルの形状データ、折り曲げ部の曲げパターン及び材質を含む前記外装パネルの形態を決定する形態決定手段と、前記形態決定手段で選択された前記形状データ及び前記曲げパターンの各パラメータを取得するパラメータ取得手段と、前記外装パネルの形態及び前記各パラメータに基づいて前記外装パネルの製作図を作成する製作図作成手段と、前記形態決定手段で選択された前記曲げパターン及び前記材質に基づいて前記外装パネルの展開図を作成する展開図作成手段と、を有することにより、設置図などの設計データ又は記憶手段に記憶された意匠データや曲げパターンなどに基づいて外装パネルの製作図及び展開図を自動的に作成することができ、これらの図面の作成工数を大幅に削減することができる効果がある。
【００１７】
また、本発明は、エスカレータの設置図の図面データやトラスの設置情報に基づいて、外装パネルなど外装部品の設計を自動的に作成することができるから、外装部品の製作図とエスカレータの設置図やトラスの設置情報との間に錯誤が生じるのを防止することができる。
【００１８】
また、本発明のエスカレータ外装部品の設計支援システムは、前記エスカレータの設置図の図面データを取得し、前記図面データを前記各記憶手段に記憶する図面データ取得手段を備え、前記形態決定手段が、前記図面データに基づいて前記外装パネルの形態を決定し、前記パラメータ取得手段が、前記図面データから前記パラメータを取得することにより、設置図について客先や建築側の承認を受けると、その設置図の図面データに基づいて直ちに外装パネルの製作図及び展開図を自動的に作成することができる効果がある。
【００１９】
また、本発明のエスカレータ外装部品の設計支援システムは、前記エスカレータのトラスタイプ及び前記トラスの寸法・設置位置を含むトラス情報を入力するトラス情報入力手段を備え、前記形態決定手段が、前記トラス情報に基づいて前記各記憶手段の中から選択して前記外装パネルの形態を決定し、前記パラメータ取得手段が、該トラス情報から前記パラメータを取得することにより、客先や建築側からの要求を含むトラス情報に基づいて外装パネルの製作図及び展開図を自動的に作成することができ、設置図を作成することもできる効果がある。
【００２０】
また、本発明のエスカレータ外装部品の設計支援システムは、前記外装パネルの形状データ、折り曲げ部の曲げパターン及び材質を入力する形態入力手段を備えたことにより、各記憶手段に記憶されていない外装パネルの形状データ、折り曲げ部の曲げパターン及び材質を作成して登録することができる効果がある。
【００２１】
また、本発明のエスカレータ外装部品の設計支援システムは、前記外装パネルの分割位置を指定して複数の前記外装パネルを一括して分割するパネル分割手段を備えたことにより、各階に設置される側板や底板など複数の外装パネルを一括して分割することができ、製作図及び展開図の作成工程を大幅に削減することができる効果がある。
【００２２】
また、本発明のエスカレータ外装部品の設計支援システムは、前記外装パネルの形態及び前記パラメータを修正する修正手段を備えたことにより、記憶手段に蓄積された図面データの中から類似の図面データを用いて、外装パネルの製作図及び展開図を迅速に作成することができる効果がある。
【００２３】
また、本発明のエスカレータ外装部品の設計支援システムは、前記外装パネル以外の外装部品の形状又は／及び仕様を記憶する部品情報記憶手段を備え、前記部品情報記憶手段の中から選択して外装部品を前記エスカレータの設置図に配置する手段を備えたことにより、外装部品を自動的に設置図に配置することができる効果がある。
【００２４】
また、本発明のエスカレータ外装部品の設計支援システムは、前記設置図の図面データから前記外装部品の個数をカウントする手段と、前記展開図の図面データから前記外装パネルの総面積を算出する手段と、前記外装部品の個数及び前記外装パネルの総面積を帳票として出力する帳票出力手段を備えたことにより、出力される帳票に基づいて板材や部品の発注や在庫管理を行うことができ、外装パネルなど外装部品の製作に要する時間を大幅に短縮することができる効果がある。
【図面の簡単な説明】
【００２５】
【図１】本発明に係る設計支援システムの一実施例を示す構成図。
【図２】本実施例の設計支援システムの構成を示すブロック図。
【図３】本実施例の設計支援システムの製作図作成の流れを示すフローチャート。
【図４】本実施例の設計支援システムの展開図作成の流れを示すフローチャート。
【図５】本実施例の設計支援システムの帳票出力の流れを示すフローチャート。
【図６】本実施例における外装パネルのパネル設定画面の一例を示す画面図。
【図７】本実施例における外装パネルの形態の一例を示す側面図。
【図８】本実施例における外装パネルの曲げ形状設定画面の一例を示す画面図。
【図９】本実施例における外装パネルの材質情報入力画面の一例を示す画面図。
【図１０】本実施例における外装部品の作図画面の一例を示す画面図。
【図１１】本実施例におけるトラス設定画面の一例を示す画面図。
【図１２】本実施例により作成される製作図の一例を示す図。
【図１３】本実施例により作成される帳票の一例を示す説明図。
【図１４】エスカレータの構成を示す一部切欠き側面図。
【図１５】エスカレータの構成を示す斜視図。
【図１６】外装パネルの詳細な構成を示す断面図。
【発明を実施するための形態】
【００２６】
本発明の実施の形態を図示する実施例に基づいて説明する。図１は、本発明に係る設計支援システムの一実施例を示す構成図である。図２は、本実施例の設計支援システムの構成を示すブロック図である。
【００２７】
本発明は、エスカレータ１００の外装パネル１０２を含む外装部品の設計を支援するエスカレータ外装部品の設計支援システム１であって、前記外装パネル１０２の基本的な意匠データ又は／及び前記外装パネル１０２の設計データを含む前記外装パネル１０２の形状データを記憶する形状データ記憶手段２１と、前記外装パネル１０２の折り曲げ部１０３の曲げパターンを記憶する曲げパターン記憶手段２２と、前記外装パネル１０２の材質別に曲げ加工による板材の伸び寸法を記憶する材質情報記憶手段２３と、前記各記憶手段２１，２２，２３の中から選択して、前記外装パネル１０２の形状データ、折り曲げ部１０３の曲げパターン及び材質を含む前記外装パネル１０２の形態を決定する形態決定手段１１と、前記形態決定手段１１で選択された前記形状データ及び前記曲げパターンの各パラメータを取得するパラメータ取得手段１２と、前記外装パネル１０２の形態及び前記各パラメータに基づいて前記外装パネル１０２の製作図を作成する製作図作成手段１３と、前記形態決定手段１１で選択された前記曲げパターン及び前記材質に基づいて前記外装パネル１０２の展開図を作成する展開図作成手段１４と、を有する。
【００２８】
エスカレータ１００は、ステップ（踏み板）及びライザー（蹴り上げ板）が無限軌道上を循環移動するように形成され、これで人又は物を搬送する。この循環移動するステップ及びライザーは、トラス１０１によって支えられている。トラス１０１は、搬送部の上部両側に配置された２本の上部ビーム１０１ａと、該搬送部の下部両側に配置された２本の下部ビーム１０１ｂとからなる。図１４及び図１５に示すように、トラス１０１の側面には、上下２本のビーム１０１ａ，１０１ｂの外側に複数の側面板１０２ａが連続して取り付けられている。また、トラス１０１の底面には、２本の下部ビーム１０１ｂの下側に、複数の底面板１０２ｂが連続して取り付けられている。これらの側面板１０２ａと底面板１０２ｂが、トラス１０１と搬送部を覆う外装パネル１０２を構成している。
【００２９】
外装パネル１０２は、一般的に側面板１０２ａと底面板１０２ｂが同じ分割位置１０３で分割され、複数枚の板材で構成されている。図１６に示すように、外装パネル１０２の分割位置１０４では、板材の端部に所定の曲げパターンで折り曲げ部１０３を形成し、隣り合う板材を連結している。また、エスカレータ１００には、図示しないが、外装パネル１０２の他に、落下防止フェンスやダウンライトなどの部品が設けられる場合もある。
【実施例１】
【００３０】
設計支援システム１は、例えば図２に示すように、サーバコンピュータ２と、該サーバコンピュータ２にＬＡＮなどのネットワーク４を介して接続されるクライアント端末３によって構成される。サーバコンピュータ２は、エスカレータ１００の外装パネル１０２を含む外装部品の設計を支援する処理手段１０と、処理手段１０を機能させるための設計支援プログラム及び図面や部品などのデータを記憶する記憶手段２０と、を有する。クライアント端末３は、サーバコンピュータ２による外装部品の設計支援を受けながら外装パネル１０２を含む外装部品の設計を行う機能を備えている。
【００３１】
処理手段１０は、サーバコンピュータ２内に設けられた中央演算処理装置（ＣＰＵ）、及びこのＣＰＵの動作手順を規定する一又は二以上のプログラムによって機能する。記憶手段２０は、例えばＲＯＭやＲＡＭなどのメモリ及びハードディスクを備えている。記憶手段２０は、処理手段１０の各種処理を実行するための設計支援プログラムなどが格納されるプログラム領域２０ａと、図面や部品などのデータを記憶するデータ領域２０ｂと、を有している。
【００３２】
クライアント端末３は、サーバコンピュータ２から支援を受けて外装部品の設計を行う処理部３１と、処理部３１を機能させるための設計プログラムなどを記憶する記憶部３２と、設計のための情報を入力する入力部３３と、設計図などを表示する表示部３４と、を備えている。なお、処理手段１０を機能させるための設計支援プログラムは、各クライアント端末３が有していてもよい。その場合でも、図面や部品などのデータは、サーバコンピュータ２又は各クライアント端末３にネットワーク４を介して接続されたデータ保管用端末に記憶してあることが好ましい。また、クライアント端末３は、外装部品の設計に限らず、トラス１０１やエスカレータ１００の設置図を作成する機能を備えていてもよい。
【００３３】
図１に示す実施例において、設計支援システム１は、記憶手段２０のデータ領域２０ｂに、形状データ記憶手段２１と、曲げパターン記憶手段２２と、材質情報記憶手段２３と、部品情報記憶手段２４を有している。形状データ記憶手段２１は、外装パネル１０２の基本的な意匠データ及び外装パネル１０２の設計データを、外装パネル１０２の形状データとして記憶している。図６及び図７に示すように、形状データ記憶手段２１は、トラス１０１のタイプ（製造メーカ及び型式）別に最下階用の意匠データと中間階用の意匠データを記憶している。例えば、図７（ａ）に示す意匠は最下階用の外装パネル１０２の意匠であり、図７（ｂ）に示す意匠は中間階用の外装パネル１０２の意匠である。形状データ記憶手段２１は、これら意匠データの各寸法の初期値を変数名と関連付けて記憶している。これらの意匠データは、クライアント端末３で作成して登録する他、外装パネル１０２の設計データをトラス１０１のタイプと関連付け、設計データの寸法を変数の初期値として登録してもよい。
【００３４】
曲げパターン記憶手段２２は、外装パネル１０２の折り曲げ部１０３の曲げパターンを記憶している。曲げパターンとしては、例えば「オス曲げ」、「メス曲げ」、「下曲げ」などがある。曲げパターン記憶手段２２は、各曲げパターンの形状と、その寸法の初期値を変数名と関連付けて記憶している。図１６に示すように、隣り合う板材が連結する部位においては、曲げパターン記憶手段２２は、例えば図８に示す「オス曲げ」と「下曲げ」の組み合わせのように、曲げパターンの組み合わせとして記憶している。
【００３５】
材質情報記憶手段２３は、外装パネル１０２の材質別に曲げ加工による板材の伸び寸法を記憶している。図９に示すように、材質情報記憶手段２３は、材質と板厚の組み合わせ毎に、曲げ角度に対する板材の伸び寸法を記憶している。
【００３６】
部品情報記憶手段２４は、外装パネル１０２以外の外装部品の形状及び仕様を記憶している。実施例において、部品情報記憶手段２４は、延長デッキ、落下防止フェンス、落下防止棚、ダウンライト、誘導棚、光電管などの部品情報を記憶している。図１０に示すように、落下防止フェンスでは、配置方向、フェンス材質、支柱タイプ及びフェンス高さなどの情報（形状及び仕様）が部品情報記憶手段２４に記憶されている。
【００３７】
実施例において、設計支援システム１は、クライアント端末３に、外装パネル１０２の形状データ、折り曲げ部１０３の曲げパターン及び材質を入力する形態入力手段を備え、入力された形状データ、曲げパターン及び材質を各記憶手段２１，２２，２３に登録することができる。形態入力手段は、クライアント端末３で外装パネル１０２の形状を作成する機能と、曲げパターンの曲げ形状を作成する機能と、板材の材質及びその板材の曲げ加工による板材の伸び寸法を登録する機能を備えている。
【００３８】
図１に示す実施例において、設計支援システム１は、処理手段１０に形態決定手段１１と、パラメータ取得手段１２と、製作図作成手段１３と、展開図作成手段１４と、帳票出力手段１５と、を有している。形態決定手段１１は、上述の各記憶手段２１，２２，２３の中から選択して、外装パネル１０２の形状データ、折り曲げ部１０３の曲げパターン及び材質を含む外装パネル１０２の形態を決定する。
【００３９】
実施例において、設計支援システム１は、エスカレータ１００のトラスタイプ及びトラス１０１の寸法・設置位置を含むトラス情報を入力するトラス情報入力手段を備え、形態決定手段１１が、トラス情報に基づいて各記憶手段２１，２２，２３の中から選択して外装パネル１０２の形態を決定する。実施例において、トラス情報入力手段はクライアント端末３に備えられている。図１１に示すように、トラス情報入力手段は、トラス１０１のタイプ（製造メーカ及び型式）と、トラス１０１の傾斜角度・高さなどの寸法を入力させる。また、トラス情報入力手段は、客先や建築側からトラス１０１の設置情報をデータで取得し、これらの情報を自動的に入力するようにしてもよい。
【００４０】
形態決定手段１１は、トラス情報入力手段で入力されたトラス１０１のタイプ及び寸法に基づいて、類似する又は適応する形態の外装パネル１０２の意匠データや設計データを検索し、検索結果をクライアント端末３に表示させる。形態決定手段１１は、複数の類似する又は適応する形態を検出したときは、複数の形態をクライアント端末３上に表示し、クライアント端末３においてユーザに外装パネル１０２の形態を選択させる。一方、形態決定手段１１は、類似する又は適応する形態を検出しないときは、その旨をクライアント端末３に表示し、形態入力手段によって外装パネル１０２の新規形態を作成させ、各記憶手段２１，２２，２３に新規の形態を登録する。
【００４１】
また、設計支援システム１は、エスカレータ１００の設置図の図面データを取得し、この図面データを各記憶手段２１，２２，２３に記憶する図面データ取得手段を備えていてもよい。形態決定手段１１は、取得した設置図の図面データから外装パネル１０２の形状データ、曲げパターン及び材質を抽出し、外装パネル１０２の形態を決定する。なお、設置図の図面データに折り曲げ部１０３の曲げ形状が含まれていない場合に、形態決定手段１１は、曲げパターン記憶手段２２に記憶されている曲げパターンをクライアント端末３に表示してユーザに曲げパターンを選択させる。
【００４２】
パラメータ取得手段１２は、形態決定手段１１で選択された形状データ及び曲げパターンの各パラメータを取得する。パラメータ取得手段１２は、トラス情報入力手段などで得たトラス１０１の傾斜角度・高さなどの寸法を取得し、外装パネル１０２のパラメータを設定する。また、パラメータ取得手段１２は、図６に示すパネル設定画面をクライアント端末３に表示させ、トラス１０１と底面板１０２ｂとの間隙や立ち上がり部の長さなどの変数について、初期値を修正するパラメータ修正手段を備えている。実施例では、トラス１０１の設置情報によって決まる外装パネル１０２の傾斜角度及び高さは、変数としていない。
【００４３】
設計支援システム１がエスカレータ１００の設置図の図面データを取得している場合、パラメータ取得手段１２は、この図面データから形状データ及び曲げパターンの各パラメータを取得する。このときも、パラメータ取得手段１２は、図６に示すパネル設定画面をクライアント端末３に表示させ、ユーザに各パラメータの確認をさせることが好ましい。なお、設置図の図面データに折り曲げ部１０３の曲げ形状が含まれていない場合に、パラメータ取得手段１２は、図８に示す曲げ形状設定画面をクライアント端末３に表示させ、形態決定手段１１で決定した曲げパターンの各寸法などの変数について、初期値を修正するパラメータ修正手段を備えている。
【００４４】
製作図作成手段１３は、形態決定手段１１で決定した外装パネル１０２の形態（形状・曲げパターン）及びパラメータ取得手段１２で取得した外装パネル１０２の形状・曲げパターンの各パラメータに基づいて、外装パネル１０２の製作図を自動的に作成する。
【００４５】
製作図作成手段１３は、外装パネル１０２の分割位置１０４を指定して複数の外装パネル１０２を一括して分割するパネル分割手段を備えている。実施例において、パネル分割手段は、クライアント端末３でユーザに分割の基点となる位置と分割の間隔を指定させ、側面板１０２ａと底面板１０２ｂを同じ位置で自動的に分割する。分割の基点は、例えば底面板１０２ｂの屈曲位置（図７の矢印の箇所）を指定する。図面データ取得手段が取得した設置図の図面データに分割位置が含まれている場合に、パネル分割手段は該分割位置を抽出して外装パネル１０２を分割する。また、パネル分割手段は、分割された隣り合うパネルを結合するパネル結合手段を備えていてもよい。
【００４６】
製作図作成手段１３は、外装パネル１０２が構造物などと干渉する部分などを領域指定し、該領域を削除する削除領域設定手段を備えていてもよい。設計支援システム１は、削除領域設定手段で削除された領域を、展開図作成手段１４で作成されるパネル形状から削除する。
【００４７】
製作図作成手段１３は、作図した外装パネル１０２の図形に対して寸法線を自動的に付加する寸法線作成手段を備えている。また、製作図作成手段１３は、断面図や詳細図を作成する手段を備えていてもよい。製作図作成手段１３は、クライアント端末３で製作図図形の配置基点を指定する手段を備え、自動で作成された製作図が指定位置に配置されて、図１２に示す製作図面を作成し、記憶手段２０に記憶する。また、製作図作成手段１３は、陰線機能や反転機能など一般的な作図プログラムが有する機能を備えている。
【００４８】
展開図作成手段１４は、形態決定手段１１で選択された外装パネル１０２の曲げパターン及び材質に基づいて、外装パネル１０２の展開図を自動的に作成する。また、展開図作成手段１４は、折り曲げ部１３において、切欠き形状と該切欠き形状のパラメータを設定する手段を備えている。展開図作成手段１４は、クライアント端末３で展開図図形の配置基点を指定する手段を備え、自動で作成された展開図が指定位置に配置されて展開図面を作成し、記憶手段２０に記憶する。また、展開図作成手段１４は、展開された各パネルの面積と枚数を集計する手段を備え、製作図作成手段１３で作成される製作図に、パネルの面積と分割パネルの枚数を表示する手段を備えている。
【００４９】
実施例において、設計支援システム１は、部品情報記憶手段２４の中から選択して外装部品をエスカレータの設置図に配置する手段を備えている。また、設計支援システム１は、設置図の図面データから外装部品の個数をカウントする手段と、展開図の図面データから外装パネル１０２の個別パネルの面積及び総面積を算出する手段と、外装部品の個数及び外装パネル１０２の面積を帳票として出力する帳票出力手段を備えている。また、設計支援システム１は、製作図作成手１３で作成した製作図の図面データと、展開図作成手段１４で作成した展開図の図面データを設置図に反映させる機能を備えている。
【００５０】
帳票出力手段は、カウントした外装部品の個数と、算出した外装パネル１０２の面積を帳票として、例えば表計算ソフトのデータとして自動的に出力し、記憶手段２０に記憶する。
【００５１】
以下、図３乃至図５を参照しながら、本実施例に係るエスカレータ外装部品の設計支援システム１の動作について説明する。図３は、本実施例の設計支援システムの製作図作成の流れを示すフローチャートである。先ず、製作図作成の流れについて説明する。
【００５２】
（１）設計支援システム１は、トラス情報入力手段によって、エスカレータ１００のトラス１０１の情報設定を行う（ステップＳ１１）。トラス情報入力手段は、図１１に示すトラス設定画面をクライアント端末３に表示させ、トラス１０１のタイプ（製造メーカ及び型式）と、トラス１０１の傾斜角度や高さなどの寸法を入力させる。なお、トラス情報入力手段は、客先や建築側からトラス１０１の設置情報をデータで取得し、これらの情報を自動的に入力するようにしてもよい。
【００５３】
（２）設計支援システム１は、形態決定手段１１によって、外装パネル１０２の形態を決定する（ステップＳ１２）。形態決定手段１１は、ステップＳ１１で入力されたトラス情報に基づき、各記憶手段２１，２２，２３の中から選択して外装パネル１０２の形状データ、折り曲げ部１０３の曲げパターン及び材質を含む外装パネル１０２の形態を決定する。
【００５４】
具体的には、形態決定手段１１は、トラス情報入力に基づいて類似する又は適応する形態の外装パネル１０２の意匠データや設計データを検索し、検索結果をクライアント端末３に表示させる。形態決定手段１１は、複数の形態を検出したときに複数の形態をクライアント端末３上に表示し、クライアント端末３においてユーザに外装パネル１０２の形態を選択させる。類似する又は適応する形態を検出しないときに、設計支援システム１は、形態入力手段によって外装パネル１０２の新規形態を作成させてもよい。
【００５５】
（３）設計支援システム１は、パラメータ取得手段１２によって、外装パネル１０２のパラメータを設定する（ステップＳ１３）。パラメータ取得手段１２は、図６に示すパネル設定画面をクライアント端末３に表示し、ステップＳ１２で決定した外装パネル１０２の形態を示す。パラメータ取得手段１２は、ステップＳ１１で得たトラス１０１の傾斜角度・高さなどの寸法を取得し、外装パネル１０２の対応するパラメータを設定している。パネル設定画面には、トラス１０１と底面板１０２ｂとの間隙や立ち上がり部の長さなどの変数について初期値が示され、ユーザは必要に応じてクライアント端末３で初期値を修正する。
【００５６】
（４）設計支援システム１は、側面板１０２ａ及び底面板１０２ｂなど全ての外装パネル１０２の設定が完了するまでステップＳ１２からステップＳ１３の処理を繰り返す（ステップＳ１４）。
【００５７】
（５）全ての外装パネル１０２の設定が完了すると、設計支援システム１は、パネル分割手段によって外装パネル１０２の分割処理を行う（ステップＳ１５）。パネル分割手段は、クライアント端末３でユーザに分割の基点となる位置と分割の間隔を指定させ、側面板１０２ａと底面板１０２ｂを同じ位置で一括して自動的に分割する。また、パネル分割手段は、クライアント端末３で作図した線分を分割線として手動で外装パネル１０２を分割したり、分割された隣り合うパネルを結合したりしてもよい。
【００５８】
（６）設計支援システム１は、削除領域設定手段によって、外装パネル１０２が構造物などと干渉する部分などを領域指定し、外装パネル１０２の削除領域を設定する（ステップＳ１６）。
【００５９】
（７）次に、設計支援システム１は、展開図作成手段１４において、外装パネル１０２の折り曲げ部１０３の曲げパターンを設定する（ステップＳ１７）。本実施例において、設計支援システム１は、製作図作成手段１３によって外装パネル１０２の製作図を作成する前に、展開図作成手段１４によって外装パネル１０２の展開図を作成する。展開図作成手段１４における曲げパターンの設定については、後述する。
曲げパターンは、後述の展開図の作成工程で設定されたデータを取得する。
【００６０】
（８）設計支援システム１は、ステップＳ１２からステップＳ１７で設定等された外装パネル１０２の形態、分割処理、削除領域、曲げ設定に基づき、製作図作成手段１３によって外装パネル１０２の製作図を作成する（ステップＳ１８）。製作図作成手段１３は、外装パネル１０２の形状を自動的に作図し、寸法を付加する。また、製作図作成手段１３は、必要に応じて断面図や詳細図を製作図内に配置する。また、製作図作成手段１３は、製作図に外装パネル１０２のパネル毎の面積及び総面積を表示してもよい。
【００６１】
次に、展開図作成の流れについて説明する。図４は、本実施例の設計支援システムの展開図作成の流れを示すフローチャートである。
【００６２】
（１）展開図作成手段１４は、製作図作成工程におけるステップＳ１２からステップＳ１６で設定等された外装パネル１０２の形態、分割処理、削除領域を含む製作図作成データを取得する（ステップＳ２１）。
【００６３】
（２）展開図作成手段１４は、外装パネル１０２を構成する複数のパネルに対して、一括でパネルの曲げ設定を行う（ステップＳ２２）。展開図作成手段１４は、製作図作成工程において、形態決定手段１１及びパラメータ取得手段１２でパネルの曲げ設定を行っている場合に、この曲げ設定を取得する。また、展開図作成手段１４は、製作図作成工程においてパネルの曲げ設定を行っていない場合、又は、既に設定されているパネルの曲げ設定を変更する場合は、曲げパターン記憶手段２２に記憶されている曲げパターンの組み合わせをクライアント端末３に表示させて、ユーザに曲げパターンの組み合わせを選択させる。
【００６４】
展開図作成手段１４は、例えば図８に示す曲げ形状設定画面をクライアント端末３に表示させて、曲げ寸法や曲げ角度などのパラメータを設定させる。具体的には、展開図作成手段１４は、各パラメータの初期値を曲げ形状設定画面に表示し、初期値の確認又は修正を求める。また、展開図作成手段１４は、例えば図９に示す材質情報入力画面をクライアント端末３に表示させて、板材の材質及び板厚を設定させる。
【００６５】
（３）展開図作成手段１４は、ステップＳ２２で一括設定されたパネルの曲げ設定に対し、修正が必要なパネル領域をクライアント端末３で指定させ、該領域の曲げ形状を個別に修正させて、個別のパネル曲げ設定を行う（ステップＳ２３）。
【００６６】
（４）展開図作成手段１４は、ステップＳ２１で取得した製作図作成データに加えて、ステップＳ２２及びステップＳ２３で設定したパネルの曲げ情報に基づいて、外装パネル１０２の展開図を自動的に作成する（ステップＳ２４）。具体的には、展開図作成手段１４は、ステップＳ２２において設定された板材の材質及び板厚に対応する材質情報（曲げ角度に対する板材の伸び寸法）を材質情報記憶手段２３から取得し、板材の曲げ回数及び曲げ角度から板材の伸び寸法を算出して展開形状を作成する。
【００６７】
展開図作成手段１４は、作成された各パネルの展開形状から面積を算出し、側面板１０２ａ及び底面板１０２ｂの面積、外装パネル１０２全体の総面積を求める。また、展開図作成手段１４は、必要に応じて切欠き形状の設定を行う。
【００６８】
次に、帳票出力の流れについて説明する。図５は、本実施例の設計支援システムの帳票出力の流れを示すフローチャートである。
【００６９】
（１）帳票出力手段は、承認を受けた設置図の図面データから外装部品の種類・個数などの部品データを取得する（ステップＳ３１）。本実施例では、製作図作成手段１３及び展開図作成手段１４で定まった外装パネル１０２の面積、枚数、総面積、材質などの情報が設置図に反映されている。なお、これらの情報が設置図に反映されていない場合、帳票出力手段は、これらの情報を製作図及び展開図の図面データから取得する。
【００７０】
（２）帳票出力手段は、ダウンライトや光電管などの規格部品の個数、落下防止フェンスや誘導棚などの製作部品の素材及びその数量をカウントする（ステップＳ３２）。実施例において、設計支援システム１は、部品情報記憶手段２４の中から選択して外装部品をエスカレータ１００の設置図に配置する手段を備えており、設置図に外装部品が配置される度に外装部品の個数や数量をカウントしてもよい。
【００７１】
（３）帳票出力手段は、ステップＳ３２においてカウントした外装部品の個数や数量を帳票として出力する（ステップＳ３３）。実施例において、帳票出力手段は、外装部品の個数や数量を表計算ソフトのデータとして自動的に出力し、記憶手段２０に記憶する。
【実施例２】
【００７２】
本発明のエスカレータ外装部品の設計支援システム１は、建築物にトラス１０１及びその付属物を設置した状態を示す設置図を作成する設置図作成手段を備えていてもよい。
【００７３】
設置図作成手段は、通り芯及びＦＬ（フロアライン）を設定して基準線を作図する基準線作図手段と、建築物の躯体などの図形を取得する躯体図形取得手段と、トラス１０１の設置基準となるＷＰ（ワーキングポイント）を設定するＷＰ設定手段と、トラス１０１を作図するトラス作図手段と、外装部品を作図ずる外装部品作図手段と、を備えている。設置図作成手段は、陰線機能や反転機能など一般的な作図プログラムが有する機能を備えている。
【００７４】
外装部品作図手段は、トラス作図手段で作図されたトラス１０１のタイプ及び寸法・設置位置を含むトラス情報を取得し、該トラス情報に基づいて外装パネル１０２を含む外装部品の形態を設定して作図する。外装部品作図手段は、実施例１の製作図作成手段１３で作成された製作図の図面データを取得して、外装パネル１０２の形態を設定してもよい。また、外装部品作図手段は、設置図に配置又は作図する外装部品の個数や数量をカウントするカウント手段を備えていることが好ましい。
【００７５】
本発明に係るエスカレータ外装部品の設計支援システム１は、エスカレータ１００の設置図の図面データやトラス１０１の設置情報に基づいて、外装パネル１０２の製作図及び展開図を自動的に作成することができ、これらの図面の作成工数を大幅に削減することができる。また、本設計支援システム１は、外装部品の個数や数量を帳票として自動的に出力することができ、外装部品の製作期間を短縮することができる。
【符号の説明】
【００７６】
１  設計支援システム
２  サーバコンピュータ
３  クライアント端末
４  ネットワーク
１０  処理手段
１１  形態決定手段
１２  パラメータ取得手段
１３  製作図作成手段
１４  展開図作成手段
１５  帳票出力手段
２０  記憶手段
２１  形状データ記憶手段
２２  曲げパターン記憶手段
２３  材質情報記憶手段
２４  部品情報記憶手段
１００  エスカレータ
１０１  トラス
１０２  外装パネル
１０３  折り曲げ部
【図１】
2020021436.tif 000003
【図２】
2020021436.tif 000004
【図３】
2020021436.tif 000005
【図４】
2020021436.tif 000006
【図５】
2020021436.tif 000007
【図６】
2020021436.tif 000008
【図７】
2020021436.tif 000009
【図８】
2020021436.tif 000010
【図９】
2020021436.tif 000011
【図１０】
2020021436.tif 000012
【図１１】
2020021436.tif 000013
【図１２】
2020021436.tif 000014
【図１３】
2020021436.tif 000015
【図１４】
2020021436.tif 000016
【図１５】
2020021436.tif 000017
【図１６】
2020021436.tif 000018